(57)【要約】【課題】端子台が器具本体の基板に対し簡単且つ確実に取着され、施工後の端子台の取替作業も容易な照明器具を提供する。【解決手段】器具本体Ａの基板１に係止開口２を形成し、端子台３には係止開口２の開口縁部分に係止される対の係止凸片４を突設し、両係止凸片４を相互の間隔が狭まるように弾性変形させ係止開口２に挿入して各々係止開口２の相対向する開口縁部分に係止させることにより、端子台３を基板１に対しその表側から着脱自在に取着してなる照明器具において、係止開口２に連続して開口する解除具挿入用の解除開口５を基板１の端子台３が被さらない位置に形成した。【選択図】          図１
2004234887.tif 000002
【特許請求の範囲】
【請求項１】
器具本体の基板に係止開口を形成し、端子台には同係止開口の開口縁部分に係止される対の係止凸片を突設し、両係止凸片を相互の間隔が狭まるように弾性変形させ係止開口に挿入して各々同係止開口の相対向する開口縁部分に係止させることにより、端子台を基板に対しその表側から着脱自在に取着してなる照明器具であって、係止開口に連続して開口する解除具挿入用の解除開口を基板の端子台が被さらない位置に形成してなる照明器具。
【請求項２】
基板を金属板材料で形成し、係止凸片を端子台と一体に合成樹脂材料で形成したことを特徴とする請求項１記載の照明器具。
【請求項３】
両係止凸片の先端部分外側に先端側から基端側へと徐々に高くなるよう傾斜して突出する凸起を形成し、この両凸起が係止開口の相対向する開口縁部分に各々係止されるようになしたことを特徴とする請求項１又は２記載の照明器具。
【請求項４】
端子台の相対向する外側面部分の各々で対の係止凸片を端子台より背方に突設し、対の係止凸片は同端子台の外側面に沿った方向で相互に拡開狭小動作して弾性変形されるものとなし、両対の係止凸片と対応する位置各々で基板には係止開口を配置形成し、両係止開口の相反する外側の開口縁部分に連続させて各々で各係止開口よりも大きく開口する解除開口を形成したことを特徴とする請求項１〜３のいずれか一つに記載の照明器具。
【請求項５】
端子台の一外側面部分で対の係止凸片を端子台より背方に突設し、この対の係止凸片は同端子台の外側面に沿った方向で相互に拡開狭小動作して弾性変形されるものとなし、同対の係止凸片と対応する位置で基板には係止開口を形成し、この係止開口の外側の開口縁部分に連続させて同係止開口よりも大きく開口する解除開口を形成し、端子台の前記一外側面部分の反対側では端子台より背方に抜け止め係止体を突設し、基板には端子台を前記係止開口側へ向かう方向にスライド移動させることにより同抜け止め係止体が抜け止め係止される係止受け開口を形成したことを特徴とする請求項１〜３のいずれか一つに記載の照明器具。
【請求項６】
抜け止め係止体を係止凸片と同形状の対の抜け止め片で形成し、係止受け開口には抜け止め係止体が出し入れされる大開口部と同抜け止め係止体が抜け止め係止される小開口部とを配設して、この小開口部の開口縁部分に両抜け止め片が相互に狭小動作するのを阻止するストッパー片を突設したことを特徴とする請求項５記載の照明器具。
【請求項７】
基板の表側に端子台を覆い隠すよう反射板を取り外し得るようにして取着し、この反射板よりも表側で照明ランプを器具本体に接続保持させたことを特徴とする請求項１〜６のいずれか一つに記載の照明器具。
【発明の詳細な説明】
【０００１】
【発明の属する技術分野】
本発明は、器具本体の基板に表側から端子台が取着される照明器具、詳しくはその端子台の取り付け構造に関するものである。
【０００２】
【従来の技術】
一般に、照明器具の端子台は器具本体内に納められている。しかしながら、照明器具が天井等に埋め込まれた状態に施工される埋め込み型である場合、端子台が器具本体内に納められていると、その点検や取替が困難となる。そこで、器具本体の基板に表側から端子台を取着して、この端子台を覆い隠すように反射板を取り付けた照明器具が提供されている。この場合、器具本体を天井等の施工個所から取り外すことなく反射板を取り外すだけで、端子台のメンテナンス作業を行うことができる。
【０００３】
そして、器具本体の基板に表側から端子台を取着する照明器具には、図９に示す、端子台３を基板１に係止して取着するタイプのものと、図１０に示す、端子台３を基板１にネジ止めして取着するタイプのものとがある。係止タイプの照明器具は、図９に示す如く、器具本体の基板１に係止開口２を形成し、端子台３に同係止開口２の開口縁部分に係止される対の係止凸片４を突設し、両係止凸片４を相互の間隔が狭まるように弾性変形させ係止開口２に挿入して各々同係止開口２の相対向する開口縁部分に係止させることにより、端子台３を基板１に対しその表側から取着するものである。
【０００４】
この場合、両係止凸片４の先端部分外側に先端側から基端側へと徐々に高くなるよう傾斜して突出する凸起６を形成し、この両凸起６が係止開口２の相対向する開口縁部分に各々係止されるようになしている。又、端子台３の相対向する外側面３ａ、３ｂ部分の各々で対の係止凸片４を端子台３より背方に突設し、対の係止凸片４は同端子台３の外側面３ａ、３ｂに沿った方向で相互に拡開狭小動作して弾性変形されるものとなし、両対の係止凸片４と対応する位置各々で基板１には係止開口２を配置形成している。なお、端子台３の背面側の中程には位置決め用突起１３とネジ取付孔１４とアース用突起１５とが並設されており、これ等と対応する位置で基板１には貫通孔１６ａ、１６ｂ、１６ｃが配置形成されている。
【０００５】
一方、ネジ止めタイプの照明器具は、図１０に示す如く、基板１の表側に端子台３を配置し、この端子台３の背面に形成されたネジ取付孔１４に、同基板１の裏側から貫通孔１６ｂを通して固定ネジ３１を螺合させることにより、端子台３を基板１に対しその表側から取着するものである。この場合、位置決め用突起１３或いはアース用突起１５が貫通孔１６ａ、１６ｃに挿入係合されることで、端子台３は位置決めされ回動しないように固定される。
【０００６】
しかしながら、上記いずれのタイプの照明器具にあっても、基板１の表側から端子台３を取り外し難いという問題がある。すなわち、図９に示す係止タイプのものでは、凸起６の傾斜面が係止開口２の開口縁部分に摺接することで、両係止凸片４は相互の間隔が狭まるように狭小動作して弾性変形され、これにより、両係止凸片４を係止開口２に挿入係止させる作業は容易に行われるが、逆に、両係止凸片４を係止開口２から抜き外そうとすると、同凸起６が係止開口２の開口縁部分に引っ掛かって容易には取り外すことができないものである。
【０００７】
又、この場合、係止凸片４の凸起６と係止開口２の開口縁部分との係合をゆるく設定することで、抜き外し易くすることも可能であるが、そうすると、端子台３は基板１から不用意に脱落し易くなる。例えば、施工時に、端子台に外部配線である電源ケーブルが接続された後、その配線処理は行われるが、その際、電源ケーブルは引っ張られたり折り曲げられたりするもので、これにより、端子台に外力が作用してこの端子台は外れ易くなる。この場合、端子台はアース端子を備えていることが多いので、この端子台の外れは重大な問題となる恐れがある。
【０００８】
又、図１０に示すネジ止めタイプのものは、端子台３が基板１の表側に取着されるものではあるが、ここでは、基板１の裏側から固定ネジ３１を螺合させるものであるため、端子台３を基板１に取着した後でないと器具本体を埋め込み施工することができないものである。そして、この場合、端子台３が基板１に対して確実強固に取着固定されるものではあるが、施工後に基板１から端子台３を取り外そうとすると、基板１の裏側から固定ネジ３１を外す作業を必要とするため、器具本体を天井等の施工個所から取り外さなければならず、端子台３の取替作業が極めて困難となるものである。
【０００９】
ところで、実開昭５６−７０９０３号公報や実開平２−４２３１５号公報等に示される如く、器具本体の基板に端子台を着脱自在に取着した照明器具も知られている。しかしながら、これ等いずれのものも、端子台を基板に別部材を介して取着したものであり、別部材（実開昭５６−７０９０３号公報に示されるものではばね（２０）、実開平２−４２３１５号公報に示されるものではホルダ（８））を必要として部材点数が増えコストアップにもなり、端子台の取着に関連する構造が複雑化してここでの組立作業も困難になるという問題を有している。
【００１０】
【特許文献１】
実開昭５６−７０９０３号公報
【００１１】
【特許文献２】
実開平２−４２３１５号公報
【００１２】
【発明が解決しようとする課題】
本発明は、上記従来の技術における問題を悉く解決するために発明されたもので、その課題は、端子台が器具本体の基板に対し簡単且つ確実に取着され、施工後の端子台の取替作業も容易な照明器具を提供することである。
【００１３】
【課題を解決するための手段】
本発明の請求項１記載の照明器具は、器具本体の基板に係止開口を形成し、端子台には同係止開口の開口縁部分に係止される対の係止凸片を突設し、両係止凸片を相互の間隔が狭まるように弾性変形させ係止開口に挿入して各々同係止開口の相対向する開口縁部分に係止させることにより、端子台を基板に対しその表側から着脱自在に取着してなる照明器具であって、係止開口に連続して開口する解除具挿入用の解除開口を基板の端子台が被さらない位置に形成してなるものである。
【００１４】
したがって、この場合、両係止凸片を相互の間隔が狭まるように弾性変形させて係止開口に挿入し、この両係止凸片各々を同係止開口の相対向する開口縁部分に係止させることによって、端子台を基板に対しその表側から簡単に取着することができ、そこでの組立作業性は良好となる。そして、取着された状態では、両係止凸片がその弾性復元力で係止開口の相対向する開口縁部分に係止されることで、端子台は基板に対し安定して確実に取着固定されており、施工時及び施工後においても同端子台が不用意に外れることはない。
【００１５】
ここにおいて、基板には解除具挿入用の解除開口が形成されているので、施工後であっても、解除開口に表側からドライバーやニッパー等の工具を解除具としてその先端部分を挿入し、この解除具によって基板の裏側で係止開口の相対向する開口縁部分に係止されている両係止凸片を外すことができる。しかも、解除開口は係止開口に連続して開口され、基板の端子台が被さらない位置に形成されているので、解除具で両係止凸片を外す作業を行う際、解除開口の口縁部分や端子台は邪魔にならず、そのため、端子台を基板から容易に取り外すことができ、端子台の取替作業も器具本体を施工個所から取り外すことなく、その基板の表側から容易に行えるものとなる。
【００１６】
本発明の請求項２記載の照明器具は、上記請求項１記載の照明器具において、基板を金属板材料で形成し、係止凸片を端子台と一体に合成樹脂材料で形成したことを特徴とするものである。
【００１７】
したがって、この場合は特に、基板が金属板材料で形成されるので、この基板に打ち抜きプレス加工等を施すことによって、係止開口や解除開口等を簡単に形成することができ、又、係止凸片は端子台と一体に合成樹脂材料で形成されるので、部品点数を増加させることなく係止凸片を簡単に形成することができて、同係止凸片には合成樹脂材による適切な弾性も付与される。
【００１８】
本発明の請求項３記載の照明器具は、上記請求項１又は２記載の照明器具において、両係止凸片の先端部分外側に先端側から基端側へと徐々に高くなるよう傾斜して突出する凸起を形成し、この両凸起が係止開口の相対向する開口縁部分に各々係止されるようになしたことを特徴とするものである。
【００１９】
したがって、この場合は特に、両係止凸片を係止開口に挿入係止させる際、凸起の傾斜面が係止開口の開口縁部分に摺接することで、両係止凸片は相互の間隔が狭まるように狭小動作して弾性変形され、これにより、両係止凸片を係止開口に対しスムーズに挿入係止させることができる。又、取着された状態では、凸起の高い部分が係止開口の開口縁部分に係止されて、両係止凸片は係止開口から抜け外れ難く、この状態であっても、解除開口から挿入される解除具を同係止開口の開口縁部分に係止された凸起に押し当てて、両係止凸片を容易に外すことができる。
【００２０】
本発明の請求項４記載の照明器具は、上記請求項１〜３のいずれか一つに記載の照明器具において、端子台の相対向する外側面部分の各々で対の係止凸片を端子台より背方に突設し、対の係止凸片は同端子台の外側面に沿った方向で相互に拡開狭小動作して弾性変形されるものとなし、両対の係止凸片と対応する位置各々で基板には係止開口を配置形成し、両係止開口の相反する外側の開口縁部分に連続させて各々で各係止開口よりも大きく開口する解除開口を形成したことを特徴とするものである。
【００２１】
したがって、この場合は特に、対の係止凸片と対の係止開口とが端子台の両側各々で係止されることになるので、基板に対し同端子台はより安定した状態で確実に取着固定される。しかも、対の係止凸片は端子台の外側面に沿った方向で相互に拡開狭小動作して弾性変形されるものであり、基板の解除開口が係止開口よりも大きく開口するもので同外側面に沿って形成されることになるため、大きな解除開口から挿入される解除具で両係止凸片を容易に狭小動作させるよう弾性変形させることができて、両係止凸片を外す係止解除作業はより簡単となる。
【００２２】
本発明の請求項５記載の照明器具は、上記請求項１〜３のいずれか一つに記載の照明器具において、端子台の一外側面部分で対の係止凸片を端子台より背方に突設し、この対の係止凸片は同端子台の外側面に沿った方向で相互に拡開狭小動作して弾性変形されるものとなし、同対の係止凸片と対応する位置で基板には係止開口を形成し、この係止開口の外側の開口縁部分に連続させて同係止開口よりも大きく開口する解除開口を形成し、端子台の前記一外側面部分の反対側では端子台より背方に抜け止め係止体を突設し、基板には端子台を前記係止開口側へ向かう方向にスライド移動させることにより同抜け止め係止体が抜け止め係止される係止受け開口を形成したことを特徴とするものである。
【００２３】
したがって、この場合は特に、対の係止凸片と係止開口とが端子台の片側で係止され、ここでは、対の係止凸片が端子台の外側面に沿った方向で相互に拡開狭小動作して弾性変形されるものであり、基板の解除開口は係止開口よりも大きく開口するもので同外側面に沿って形成されることになるため、大きな解除開口から挿入される解除具で両係止凸片を容易に狭小動作させるよう弾性変形させることができて、両係止凸片を外す係止解除作業はより簡単となる。
【００２４】
又、端子台の反対側では、抜け止め係止体が基板の係止受け開口にスライドされて抜け止め係止されるので、前記両係止凸片と係止開口との係止状態にあっては、同抜け止め係止体がスライドできず係止受け開口からは抜け外れることがないものである。そのため、端子台の両側での抜け止め係止体による係止及び前記両係止凸片による係止がより外れ難い状態となって、基板に対し同端子台はより安定した状態で確実に取着固定される。
【００２５】
しかも、端子台を係止開口側へ向かう方向にスライド移動させることで、抜け止め係止体を係止受け開口に抜け止め係止させた後に、両係止凸片を係止開口に挿入係止させ、或いは、端子台の片側のみにおいて解除具で両係止凸片を係止開口から外し、その後、端子台を前記と反対方向にスライド移動させることで、抜け止め係止体を係止受け開口から抜き外し、このようにして、端子台の基板に対する着脱作業をより簡単且つ確実に行うことができる。
【００２６】
本発明の請求項６記載の照明器具は、上記請求項５記載の照明器具において、抜け止め係止体を係止凸片と同形状の対の抜け止め片で形成し、係止受け開口には抜け止め係止体が出し入れされる大開口部と同抜け止め係止体が抜け止め係止される小開口部とを配設して、この小開口部の開口縁部分に両抜け止め片が相互に狭小動作するのを阻止するストッパー片を突設したことを特徴とするものである。
【００２７】
したがって、この場合は特に、前記抜け止め係止体が係止凸片と同形状の対の抜け止め片で形成されるので、同抜け止め係止体は両係止凸片と形状が統一されて設計容易なものとなる。しかも、ここでは、抜け止め係止体が係止受け開口の大開口部から出し入れされ、同係止受け開口の小開口部で抜け止め係止されるものであり、この抜け止め係止状態で、小開口部の開口縁部分に突設されるストッパー片が両抜け止め片相互の狭小動作を阻止するため、抜け止め係止体は係止受け開口から抜け外れないようより確実に係止される。
【００２８】
本発明の請求項７記載の照明器具は、上記請求項１〜６のいずれか一つに記載の照明器具において、基板の表側に端子台を覆い隠すよう反射板を取り外し得るようにして取着し、この反射板よりも表側で照明ランプを器具本体に接続保持させたことを特徴とするものである。
【００２９】
したがって、この場合は特に、基板の表側に取着される端子台が反射板で覆い隠されて外観良く保護され、しかも、天井等に埋め込まれた状態に施工される埋め込み型であっても、器具本体を施工個所から取り外すことなく、同反射板を取り外して端子台のメンテナンスや取替作業を簡単に行うことができる。又、照明ランプは反射板よりも表側で接続保持されていて、支障なく照明作用をなすもので、その交換も容易なものである。
【００３０】
【発明の実施の形態】
図１、２は、本発明の請求項１〜４、７に対応した第一の実施形態である照明器具を示している。この実施形態の照明器具は、器具本体Ａの基板１に係止開口２を形成し、端子台３には同係止開口２の開口縁部分２ａに係止される対の係止凸片４を突設したものである。そして、両係止凸片４を相互の間隔が狭まるように弾性変形させ係止開口２に挿入して各々同係止開口２の相対向する開口縁部分２ａに係止させることにより、端子台３を基板１に対しその表側から着脱自在に取着してなるものである。この場合に、係止開口２に連続して開口する解除具挿入用の解除開口５を基板１の端子台３が被さらない位置に形成している。
【００３１】
又、この実施形態の照明器具では、基板１を金属板材料で形成し、係止凸片４を端子台３と一体に合成樹脂材料で形成している。しかも、この場合、両係止凸片４の先端部分外側に先端側から基端側へと徐々に高くなるよう傾斜して突出する凸起６を形成し、この両凸起６が係止開口２の相対向する開口縁部分２ａに各々係止されるようになしている。
【００３２】
更には、端子台３の相対向する外側面３ａ、３ｂ部分の各々で対の係止凸片４を端子台３より背方に突設し、対の係止凸片４は同端子台３の外側面３ａ、３ｂに沿った方向で相互に拡開狭小動作して弾性変形されるものとなしている。そして、両対の係止凸片４と対応する位置各々で基板１には係止開口２を配置形成し、両係止開口２の相反する外側の開口縁部分に連続させて各々で各係止開口２よりも大きく開口する解除開口５を形成している。
【００３３】
以下、この実施形態の照明器具を、より具体的に説明する。端子台３はその外殻が合成樹脂材料で中空略直方体形状に形成されたもので、その表面側には電源端子やアース端子等の複数の端子孔（図示せず）が配設されており、電源端子となる端子孔には外部配線である電源ケーブル１９（後述する）が接続される。そして、端子台３の相対向する両側の外側面３ａ、３ｂには、各々で対の係止凸片４が一体に突設されている。係止凸片４は端子台３の両側で計二対配置されており、いずれの係止凸片４もその先端部分が各外側面３ａ、３ｂから同端子台３の背面よりも背方へ突出するように突設されている。
【００３４】
対となる両係止凸片４は合成樹脂材料で形成されていることで適度な弾性を有し、相互に間隔が広まったり狭まったりするように拡開狭小動作して弾性変形されるもので、その拡開狭小動作する方向は端子台３の各外側面３ａ、３ｂに沿った方向となる。又、両係止凸片４の前記端子台３の背面よりも背方へ突出する先端部分には、その外側に先端側から基端側へと徐々に高くなるように傾斜した略片側矢尻三角形状の凸起６が突出形成されている。
【００３５】
前記凸起６は、係止凸片４が後記基板１の係止開口２に挿入される際に、その傾斜した外側面が同係止開口２の開口縁部分２ａに摺接されるものである。又、係止凸片４が係止開口２内で係止された状態では、凸起６の高く突出した側の端縁部分が同係止開口２の開口縁部分２ａに係止されるものである。その際、両係止凸片４はその弾性により狭小された状態から拡開するように復元し、この弾性復元力によって凸起６が係止開口２の開口縁部分２ａに安定状態で抜け外れないよう係止される。この場合に、係止凸片４の凸起６以外の外側面が係止開口２の開口縁部分２ａに弾性的に当接されればより安定した係止状態となるが、必ずしも当接されなければならないものではない。
【００３６】
又、端子台３の背面側の中程には、位置決め用突起１３とネジ取付孔１４とアース用突起１５とが、この順で前記両外側面３ａ、３ｂに沿った方向に並設されている。この構造は、上記従来の技術として図９で示した端子台３をそのまま採用しているために存在するものであり、本発明の照明器具では、位置決め用突起１３やネジ取付孔１４等が不要となる。ただ、ネジ取付孔１４については、端子台３が取り外されることのない施工現場であるような場合に、上記図１０で説明した如く、このネジ取付孔１４に固定ネジ３１を螺合させて、同端子台３を取着固定してもよい。位置決め用突起１３についても、端子台３の位置決めをより確実に行おうとする場合には、この位置決め用突起１３を残存させて用いてもよい。
【００３７】
基板１は後記器具本体Ａの中程平坦部分を構成するもので、鋼板等の金属板材で形成されている。基板１には、前記端子台３の二対の係止凸片４を各対ごとで挿入係止する略矩形状の係止開口２が形成されている。両係止開口２の相反する外側の開口縁部分には、これに連続し同係止開口２よりも大きく開口する略矩形状の解除開口５が形成されている。よって、係止開口２と解除開口５とが連続した開口全体は、基板１の中程両側で対称形状となる。
【００３８】
そして、この場合、係止開口２の係止凸片４が係止される両開口縁部分２ａに隣接する片側の開口縁部分を、その辺全長にわたって解除開口５と連通開口させており、この解除開口５は同係止開口２の両開口縁部分２ａ間の巾寸法よりも大きな巾寸法となるように開口形成されている。又、係止開口２及び解除開口５は、基板１に打ち抜きプレス加工等を施すことにより、一連の開口として同時に形成されるものである。
【００３９】
基板１の中程には、前記両側の係止開口２及び解除開口５の間で、前記端子台３の位置決め用突起１３、ネジ取付孔１４、アース用突起１５と対応する位置に貫通孔１６ａ、１６ｂ、１６ｃが配置形成されている。この基板１に前記端子台３を取着する場合には、位置決め用突起１３及びアース用突起１５が貫通孔１６ａ、１６ｃに挿入係合されて納められ、これにより、同端子台３は回動しないよう位置決めされる。なお、この構造についても、上記従来の技術として図９で示した端子台３をそのまま採用しているためのものであり、本発明の照明器具では不要となる。
【００４０】
ところで、この実施形態の照明器具は、例えば、図３に示す如き構造としてその全体が施工されるものである。この場合、天井Ｂに略矩形状の取付用開口１７が形成され、器具本体Ａは同取付用開口内１７に埋め込まれた状態に施工される。取付用開口１７内には吊り下げ用の取付ボルト１８が垂設されており、又、同取付用開口１７からは外部配線である電源ケーブル１９が導出され、この電源ケーブル１９は器具本体Ａとなる基板１を貫通して前記端子台３に接続される。
【００４１】
器具本体Ａは下方に開口した略矩形箱状であり、その長手方向で相対向する両側内面に対のソケット２０が配設されており、同器具本体Ａの底板部分となる基板１の下面には安定器２１が設置固定され、この安定器２１と接続される前記端子台３も同基板１の下面に取着されている。そして、器具本体Ａは前記取付用開口１７に下方から嵌め込まれて施工されるもので、その際、同器具本体Ａの基板１に形成された取付孔２２に前記取付ボルト１８が挿通され、この取付ボルト１８には取付ナット２３が螺合され、この取付ナット２３をワッシャ２４を介し同基板１の下面に対して締め付けることにより、器具本体Ａは天井Ｂ内に埋め込み施工されて吊り下げ固定される。
【００４２】
更に、ここでは、基板１の表側に端子台３を覆い隠すよう反射板２５を取り外し得るようにして取着し、この反射板２５よりも表側で照明ランプ２６を器具本体Ａに接続保持させている。この場合、反射板２５は断面略Ｖ字状に折曲した長板状に形成されており、基板１の中程部分にその長手方向に沿ってネジ止め等により取着固定されて、前記端子台３及び安定器２１等の電気部品や取付ボルト１８と取付ナット２３との螺合部位を覆い隠すものである。そして、反射板２５の両側各々では直管型の蛍光灯である照明ランプ２６が、前記器具本体Ａに配設されたソケット２０に接続保持されることによって装着される。
【００４３】
又、この実施形態の照明器具は、図４に示す如き構造としてその全体が施工されてもよい。この場合、器具本体Ａは矩形平板状の基板１で形成され、その両側に複数対の取着片２７が突設されている。又、反射板２５は下方に開口した略矩形箱状に形成され、その底板部分の中程に断面略Ｖ字状に折曲された部分が形成されており、この断面略Ｖ字状に折曲した部分にて前記端子台３及び安定器２１等の電気部品や取付ボルト１８と取付ナット２３との螺合部位が覆い隠されるもので、同反射板２５は天井Ｂの取付用開口１７に下方から嵌め込まれて器具本体Ａに取着固定されるものである。
【００４４】
その際、器具本体Ａとなる基板１の長手方向の両端部分各々で対にして垂設されるソケット２０が反射板２５を貫通してその下方に突設され、この状態で、同反射板２５は前記器具本体Ａの各取着片２７に対してツマミネジ２８で取着固定される。そして、反射板２５の下方に突設された各対のソケット２０に、照明ランプ２６が接続保持されることによって装着される。なお、それ以外の構造は、前記図３に示したものと同様であり、ここではその説明を省略する。
【００４５】
したがって、この実施形態の照明器具においては、両係止凸片４を相互の間隔が狭まるように弾性変形させて係止開口２に挿入した後、この両係止凸片４各々をその弾性復元力で同係止開口２の相対向する開口縁部分２ａに係止させることによって、端子台３を基板１に対しその表側から簡単に取着することができ、そこでの組立作業性は良好となる。そして、両係止凸片４がその弾性復元力で拡開動作して係止開口２の相対向する開口縁部分２ａに係止されることにより、取着された状態では、端子台３が基板１に対し安定した状態で確実に取着固定されることになって、施工時に配線処理している際や器具本体Ａの埋め込み施工後においても同端子台３が不用意に外れることはない。
【００４６】
この場合、基板１には解除具挿入用の解除開口５が形成されているので、施工後であっても、解除開口５に表側からドライバーやニッパー等の工具を解除具としてその先端部分を挿入し、この解除具によって基板１の裏側で係止開口２の相対向する開口縁部分２ａに係止されている両係止凸片４の各係止部分を外すことができる。しかも、解除開口５は係止開口２に連続して開口されると共に、基板１の端子台３が被さらない位置に形成されているので、解除具で両係止凸片４を外す作業を行っている際に、解除開口５の口縁部分や端子台３は邪魔にならず、それ故、端子台３を基板１から容易に取り外すことができ、端子台３を交換する取替作業も器具本体Ａを施工個所から取り外すことなく、その基板１の表側から容易に行えるものとなる。
【００４７】
又、この実施形態の照明器具においては、基板１が鋼板等の金属板材料で形成されるので、この基板１に打ち抜きプレス加工等を施すことによって、係止開口２や解除開口５等の開口を簡単に形成することができる。しかも、両係止凸片４は端子台３と一体に合成樹脂材料で形成されるので、部品点数を増加させることなく両係止凸片４を簡単に形成することができて、各係止凸片４には合成樹脂材による適切な弾性も付与される。
【００４８】
又、この実施形態の照明器具においては、両係止凸片４を係止開口２に挿入係止させる際に、両側の凸起６の傾斜した外側面が係止開口２の相対向する両開口縁部分２ａに摺接することで、両係止凸片４は相互の間隔が狭まるように狭小動作して弾性変形され、これにより、両係止凸片４を係止開口２に対してスムーズに挿入係止させることができる。又、取着された状態では、各凸起６の高い部分が係止開口２の開口縁部分２ａに係止されて、両係止凸片４は係止開口２から抜け外れ難く、この係止取着状態であっても、解除開口５から挿入される解除具を同係止開口２の開口縁部分に係止された各凸起６に押し当てて、両係止凸片４を容易に外すことができる。
【００４９】
更に、この場合、対の係止凸片４と対の係止開口２とが端子台３の両側各々で係止されることになるので、基板１に対して同端子台３はより安定した状態で確実に取着固定される。しかも、対の係止凸片４は端子台３の外側面３ａ、３ｂに沿った方向で相互に拡開狭小動作して弾性変形されるものであり、基板１の解除開口５が係止開口２よりも大きく開口するもので同外側面３ａ、３ｂに沿って形成されることになるため、大きな解除開口５から挿入される解除具で両係止凸片４を容易に狭小動作させるよう弾性変形させることができて、両係止凸片４を外す係止解除作業はより簡単となる。
【００５０】
又、この実施形態の照明器具においては、基板１の表側に取着される端子台３や安定器２１等が、反射板２５で覆い隠されて外観良く保護されるものであり、しかも、天井Ｂに埋め込まれた状態に施工される埋め込み型であっても、器具本体Ａを施工個所から取り外すことなく、同反射板２５を取り外して端子台３のメンテナンスや取替作業を簡単に行うことができるものである。又、照明ランプ２６は反射板２５よりも表側で接続保持されていて、支障なく照明作用をなすもので、その交換も容易なものである。
【００５１】
図５〜８は、本発明の請求項１〜３、５〜７に対応した第二の実施形態である照明器具を示している。この実施形態の照明器具では、図５、６に示す如く、端子台３の一外側面３ａ部分で対の係止凸片４を端子台３より背方に突設し、この対の係止凸片４は同端子台３の外側面３ａに沿った方向で相互に拡開狭小動作して弾性変形されるものとなし、同対の係止凸片４と対応する位置で基板１には係止開口２を形成し、この係止開口２の外側の開口縁部分に連続させて同係止開口２よりも大きく開口する解除開口５を形成している。
【００５２】
そして、端子台３の前記一外側面３ａ部分の反対側の外側面３ｂでは、端子台３より背方に抜け止め係止体７を突設し、基板１には端子台３を前記係止開口２側へ向かうα方向にスライド移動させることにより同抜け止め係止体７が抜け止め係止される係止受け開口８を形成している。ここでは、抜け止め係止体７を前記係止凸片４と同形状の対の抜け止め片９で形成し、係止受け開口８には抜け止め係止体７が出し入れされる大開口部１０と同抜け止め係止体７が抜け止め係止される小開口部１２とを配設して、この小開口部１２の開口縁部分に両抜け止め片９が相互に狭小動作するのを阻止するストッパー片１２を突設してもいる。
【００５３】
この場合、係止受け開口８となる大開口部１０及び小開口部１１は、いずれも略矩形状で相互に隣接して連通開口されており、同小開口部１１の大開口部１０と連通する側とは反対側の開口縁部分の中程位置に略矩形板状のストッパー片１２が一体に延設されている。そのため、図６に示す如く、係止受け開口８の小開口部１１側では、ストッパー片１２の両側に大開口部１０へと開口したスリット２９が形成され、この両スリット２９に端子台３の両抜け止め片９をα方向にスライドさせて抜け止め係止させることができる。
【００５４】
ここで、この実施形態の照明器具における端子台３の着脱動作を、図７、８に基づいて説明する。図７は、端子台３を基板１に着脱させている途中の状態を示し、図８は、端子台３を基板１に取着固定した状態を示している。端子台３を基板１に取着する場合、図７に示す如く、まず、抜け止め係止体７を係止受け開口８に大開口部１０の位置で挿入して端子台３をａ方向にスライドさせる。これによって、抜け止め係止体７は係止受け開口８内で大開口部１０から小開口部１１へとスライド移動し、同小開口部１１にてその開口縁部分に凸起６が係止すると共に、両抜け止め片９相互の狭小動作がストッパー片１２にて阻止され、同抜け止め係止体７は係止受け開口８に抜け外れないよう係止される。
【００５５】
前記抜け止め係止体７が係止受け開口８に抜け止め係止された状態で、この係止部位を中心にして端子台３をｂ方向に回動させることにより、両係止凸片４は係止開口２に挿入係止されて、図８に示す如く、端子台３が基板１に取着固定された状態となる。逆に、端子台３を基板１から取り外す場合には、同基板１の表側から解除開口５にドライバーやニッパー等の工具を解除具３０としてその先端部分を挿入し、この解除具３０を係止開口２の裏側で係止されている凸起６に押し当てて、この凸起６による両係止凸片４の係止部分を外し、図７に示す如く、端子台３を抜け止め係止体７の係止部位を中心にしてｃ方向に回動させ、続いて、同端子台３をｄ方向にスライドさせることで、前記抜け止め係止された抜け止め係止体７は係止受け開口８内で小開口部１１から大開口部１０へとスライド移動して同係止受け開口８から抜き外される。
【００５６】
したがって、この実施形態の照明器具においては、対の係止凸片４と係止開口２とが端子台３の片方の外側面３ａ側で係止され、ここでは、上記第１の実施形態におけると同様に、対の係止凸片４が端子台３の外側面３ａに沿った方向で相互に拡開狭小動作して弾性変形されるものであり、基板１の解除開口５は係止開口２よりも大きく開口するもので同外側面３ａに沿って形成されることになるため、大きな解除開口５から挿入される解除具３０で両係止凸片４を容易に狭小動作させるよう弾性変形させることができて、両係止凸片４を外す係止解除作業はより簡単となる。
【００５７】
又、端子台３の反対側の外側面３ｂ側では、抜け止め係止体７が基板１の係止受け開口８にスライドされて抜け止め係止されるので、前記両係止凸片４と係止開口２との係止状態にあっては、同抜け止め係止体７がスライドできず係止受け開口８からは抜け外れることがないものである。そのため、端子台３の両側での抜け止め係止体７による係止及び前記両係止凸片４による係止が、より外れ難い係止状態となって、基板１に対し同端子台３はより安定した状態で確実に取着固定される。
【００５８】
しかも、図７、８に示す如く、端子台３を係止開口２側へ向かうａ方向にスライド移動させることで、抜け止め係止体７を係止受け開口８に抜け止め係止させた後に、両係止凸片４を係止開口２に挿入係止させ、或いは、端子台３の片側のみにおいて解除具３０で両係止凸片４を係止開口２から外し、その後、端子台３を前記と反対のｄ方向にスライド移動させることで、抜け止め係止体７を係止受け開口８から抜き外し、このようにして、端子台３の基板１に対する着脱作業をより簡単且つ確実に行うことができる。
【００５９】
又、この実施形態の照明器具においては、前記抜け止め係止体７が係止凸片４と同形状の対の抜け止め片９で形成されるので、同抜け止め係止体７は両係止凸片４と形状が統一されて設計容易なものとなっている。しかも、ここでは、抜け止め係止体７が係止受け開口８の大開口部１０から出し入れされて、同係止受け開口８の小開口部１１で強固に抜け止め係止されるものであり、この抜け止め係止状態では、小開口部１１の開口縁部分に突設されるストッパー片１２が両抜け止め片９相互の狭小動作を阻止するため、抜け止め係止体７は係止受け開口８から抜け外れないようより確実に係止される。
【００６０】
なお、それ以外は、上記第一の実施形態と同様に構成されており、同第一の実施形態におけると同様の作用効果が奏されるので、ここではそれ等の説明を省略する。又、照明器具全体の施工構造としても、上記図３、４のいずれの全体施工構造であってもよいものである。
【００６１】
【発明の効果】
上述の如く、本発明の請求項１記載の照明器具においては、端子台を基板に対しその表側から簡単に取着することができ、そこでの組立作業性も良好で、取着状態では、端子台が基板に対し安定して確実に取着固定されており、不用意に外れることはない。しかも、解除開口に表側から解除具を挿入し、この解除具で基板の裏側で係止されている両係止凸片を外すことができ、施工後にあっても、端子台を基板から容易に取り外すことができる。
【００６２】
又、本発明の請求項２記載の照明器具においては、特に、金属板材料で形成される基板に打ち抜きプレス加工等を施すことで、係止開口や解除開口等を簡単に形成することができ、しかも、係止凸片は端子台と一体に合成樹脂材料で形成されており、部品点数を増加させることなく係止凸片を簡単に形成することができて、同係止凸片には合成樹脂材による適切な弾性も付与される。
【００６３】
又、本発明の請求項３記載の照明器具においては、特に、凸起の傾斜面が係止開口の開口縁部分に摺接されることで、両係止凸片は係止開口に対してスムーズに挿入係止され、しかも、取着状態では、同凸起の高い部分が係止開口の開口縁部分に係止されて、両係止凸片は係止開口から抜け外れ難く、この状態であっても、解除開口から挿入される解除具で両係止凸片を容易に外すことができる。
【００６４】
又、本発明の請求項４記載の照明器具においては、特に、対の係止凸片と対の係止開口とが端子台の両側各々で係止されて、基板に対し同端子台はより安定した状態で確実に取着固定される。しかも、大きな解除開口から挿入される解除具で両係止凸片を容易に狭小動作させるよう弾性変形させることができて、両係止凸片を外す係止解除作業はより簡単となる。
【００６５】
又、本発明の請求項５記載の照明器具においては、特に、対の係止凸片と係止開口とが係止される端子台の片側では、大きな解除開口から挿入される解除具で両係止凸片を容易に狭小動作させるよう弾性変形させることができて、両係止凸片を外す係止解除作業はより簡単となる。そして、端子台の反対側では、抜け止め係止体が係止受け開口に抜け止め係止され、前記両係止凸片と係止開口との係止状態では、同抜け止め係止体が抜け外れることはなく、そのため、基板に対し端子台がより安定した状態で確実に取着固定される。しかも、端子台の片側のみで解除具を用いればよく、端子台の基板に対する着脱作業をより簡単且つ確実に行うことができる。
【００６６】
又、本発明の請求項６記載の照明器具においては、特に、前記抜け止め係止体が係止凸片と同形状の対の抜け止め片で形成され、同抜け止め係止体は両係止凸片と形状が統一されて設計容易なものとなる。しかも、抜け止め係止体が係止受け開口に抜け止め係止された状態で、ストッパー片が両抜け止め片相互の狭小動作を阻止して、抜け止め係止体は係止受け開口により確実に係止される。
【００６７】
又、本発明の請求項７記載の照明器具においては、特に、端子台が反射板で覆い隠されて外観良く保護され、埋め込み型であっても器具本体を施工個所から取り外すことなく、同反射板を取り外して端子台のメンテナンスや取替作業を簡単に行うことができ、しかも、照明ランプは反射板よりも表側で接続保持されていて、支障なく照明作用をなすもので、その交換も容易なものである。
【図面の簡単な説明】
【図１】本発明の第一の実施形態である照明器具の要部を示す分解斜視図。
【図２】同照明器具における基板の要部を示す平面図。
【図３】同照明器具の全体構造を例示する分解斜視図。
【図４】同照明器具の異なる全体構造を例示する分解斜視図。
【図５】本発明の第二の実施形態である照明器具の要部を示す分解斜視図。
【図６】同照明器具における基板の要部を示す平面図。
【図７】同照明器具における端子台の着脱状態を示す基板を断面にした側面図。
【図８】同照明器具における端子台の取着状態を示す基板を断面にした側面図。
【図９】従来例である照明器具の要部を示し、（ａ）はその分解斜視図、（ｂ）はその基板の平面図。
【図１０】別の従来例である照明器具の要部を示し、（ａ）はその分解斜視図、（ｂ）はその基板の平面図。
【符号の説明】
１  器具本体
２  係止開口
２ａ  開口縁部分
３  端子台
３ａ  端子台の相対向する一方の外側面
３ｂ  端子台の相対向する他方の外側面
４  係止凸片
５  解除開口
６  凸起
７  抜け止め係止体
８  係止受け開口
９  抜け止め片
１０  大開口部
１１  小開口部
１２  ストッパー片
２５  反射板
２６  照明ランプ
Ａ  器具本体
【図１】
2004234887.tif 000003
【図２】
2004234887.tif 000004
【図３】
2004234887.tif 000005
【図４】
2004234887.tif 000006
【図５】
2004234887.tif 000007
【図６】
2004234887.tif 000008
【図７】
2004234887.tif 000009
【図８】
2004234887.tif 000010
【図９】
2004234887.tif 000011
【図１０】
2004234887.tif 000012